(57)【要約】【課題】プラズマディスプレイパネルにおいて、製造工程のタクトを落とさずに、簡便に信頼性のある画像検査が行える方法を実現することを目的とする。【解決手段】基板上に形成した表示電極に接続されるバス電極５と、このバス電極５に外部から電圧を供給するために前記基板の非表示領域に形成しかつ前記バス電極５に対して斜めとなる引き出し線１３とを有し、前記引き出し線１３の斜め部分において、パネル縦方向における引き出し線１３の幅ａをほぼ同じにしたこと特徴とする。これにより、タクトを落とさずに、簡便に信頼性のある画像検査が行うことができる。【選択図】図１
2005071905.tif 000002
【特許請求の範囲】
【請求項１】
基板上に形成した表示電極に接続されるバス電極と、このバス電極に外部から電圧を供給するために前記基板の非表示領域に形成しかつ前記バス電極に対して斜めとなる引き出し線とを有し、前記引き出し線の斜め部分において、パネル縦方向における引き出し線の幅をほぼ同じにしたこと特徴とするプラズマディスプレイパネル。
【発明の詳細な説明】
【技術分野】
【０００１】
本発明は、簡便に断線やショートを検査できるプラズマディスプレイパネルに関するものである。
【背景技術】
【０００２】
従来のＡＣ型プラズマディスプレイパネル（以下、ＰＤＰと呼ぶ）について、図３、図４を用いて説明する。
【０００３】
図３にこのＰＤＰのパネル構造を示しており、図３に示すように、ガラス基板などの透明な前面側の基板１上には、放電ギャップをあけて平行に対向する走査電極２と維持電極３とで対をなすストライプ状の表示電極が複数対形成されている。この走査電極２および維持電極３は、それぞれＩＴＯやＳｎＯ2などからなる透明電極４と、この透明電極４に電気的に接続された銀の厚膜やアルミニウム薄膜やクロム／銅／クロム（Ｃｒ／Ｃｕ／Ｃｒ）の積層薄膜によるバス電極５とから構成されている。また、前記前面側の基板１には、前記複数対の電極群を覆うように低融点ガラスからなる誘電体層６が形成され、その誘電体層６上にはＭｇＯからなる保護膜７が形成され、これによりフロントパネルが構成されている。
【０００４】
また、前記前面側の基板１に対向配置される背面側の基板８上には、走査電極２及び維持電極３の表示電極と直交する方向に、誘電体層９で覆われた複数のストライプ状のデータ電極１０が形成されている。このデータ電極１０間の誘電体層９上には、データ電極１０と平行にストライプ状の複数の隔壁１１が配置され、この隔壁１１間の側面および誘電体層９の表面に蛍光体層１２が設けられ、これによりバックパネルが構成されている。
【０００５】
これらのフロントパネルとバックパネルとは、走査電極２および維持電極３とデータ電極１０とが直交するように、微小な放電空間を挟んで対向配置されるとともに、周囲が封止され、そして前記放電空間には、放電ガスとして、ネオン（Ｎｅ）とキセノン（Ｘｅ）の混合ガスがおよそ６６．５ｋＰａ（５００Ｔｏｒｒ）の圧力で充填されている。また、放電空間は、隔壁１１によって複数の区画に仕切ることにより、表示電極とデータ電極１０との交点が位置する複数の放電セルが設けられ、その各放電セルには、赤色、緑色及び青色となるように蛍光体層１２が一色ずつ順次配置されている。
【０００６】
このＰＤＰにおいては、電極間に数十ｋＨｚ〜数百ｋＨｚのＡＣ電圧を印加して放電空間に放電を発生させ、励起されたＸｅ原子からの紫外線によって蛍光体層を励起することにより可視光を発生させて表示動作を行う。
【０００７】
図４にこのパネルの電極配列図を示しており、図４に示すように、電極はｍ×ｎのマトリックス構成であり、列方向にはｍ列のデータ電極Ｄ１〜Ｄｍが配列されており、行方向にはｎ行の走査電極ＳＣＮ１〜ＳＣＮｎおよび維持電極ＳＵＳ１〜ＳＵＳｎが配列されている。
【０００８】
このようなＰＤＰにおいて、電極は特許文献１に示すような構成で、電極の形成工程中に断線やショートの検査を行い、問題がある部分については適宜補修を施す。検査の際に、電極パターンを撮像して用いる画像検査が一般的に用いられる。
【０００９】
従来、画像検査においてバス電極の端子への引き出し線で、斜め引き出し部分を、引き出し線方向で同じ幅にしているため、画像検査の走査方向での線幅が異なり、許容値を超え不良と判定されたり、認識できないといった課題があった。また、その許容範囲を広げれば、精度が甘くなり、信頼性が低下することが問題となっていた。また、走査方法を、直線的から斜め引き出し部分に垂直になるように変えることも可能だが、製造工程におけるタクトが落ちるといった課題があった。
【特許文献１】特許第２７３８８８７号公報
【発明の開示】
【発明が解決しようとする課題】
【００１０】
本発明は上記従来の課題を解決し、タクトを落とさずに、簡便に信頼性のある画像検査が行える方法を実現することを目的とする。
【課題を解決するための手段】
【００１１】
このような課題を解決するために本発明は、基板上に形成した表示電極に接続されるバス電極と、このバス電極に外部から電圧を供給するために前記基板の非表示領域に形成しかつ前記バス電極に対して斜めとなる引き出し線とを有し、前記引き出し線の斜め部分において、パネル縦方向における引き出し線の幅をほぼ同じにしたこと特徴とする。
【発明の効果】
【００１２】
通常、画像検査では、位置情報や線幅情報を元にパネルの縦または横方向に走査されるため、その方向で線幅が同じになるようにすることで線幅の許容範囲を狭め、精度を高めることができる。また走査方法は、直線的に行えるのでタクトが落ちるといった心配もない。これにより、本発明によれば上記従来の課題を解決し、タクトを落とさずに、簡便に信頼性のある画像検査を行うことができる。
【発明を実施するための最良の形態】
【００１３】
以下、本発明の一実施の形態によるＰＤＰについて、図１、図２を用いて説明する。
【００１４】
図１に本発明の一実施の形態によるＰＤＰにおける要部構造を示しており、図１に示すように、基板１上に形成した表示電極に接続されるバス電極５と、このバス電極５に外部から電圧を供給するために前記基板１の非表示領域に形成しかつ前記バス電極５に対して斜めとなる引き出し線１３とを有している。そして、前記引き出し線１３の斜め部分を有する中間部１４において、パネル縦方向における引き出し線１３の幅ａをほぼ同じに構成している。なお、１５は引き出し線１３の端子部である。
【００１５】
図２は、従来のバス電極の引き出し線部分の図であり、バス電極５の引き出し線１３の斜め部分を有する中間部１４の幅ｂを、引き出し線１３の引き出し方向でほぼ同じ幅としている。
【００１６】
すなわち、本発明においては、図１に示すように、引き出し線１３の斜め部分の中間部１４において、パネル縦方向における引き出し線１３の幅ａをほぼ同じにするものであり、線幅は、マスクによって簡単に変更することが可能であるため、このことによりタクトを落とさずに、簡便に信頼性のある画像検査を行うことができる。
【産業上の利用可能性】
【００１７】
以上のように本発明によれば、簡便に断線やショートを検査できるプラズマディスプレイパネルを得ることができる。
【図面の簡単な説明】
【００１８】
【図１】本発明の一実施の形態によるプラズマディスプレイパネルにおける要部構造を示す平面図
【図２】従来のバス電極引き出し線を示す平面図
【図３】ＡＣ型プラズマディスプレイパネルの概略構造を示す斜視図
【図４】同パネルの電極配列を示す配線図
【符号の説明】
【００１９】
１  基板
５  バス電極
１３  引き出し線
１４  中間部
【図１】
2005071905.tif 000003
【図２】
2005071905.tif 000004
【図３】
2005071905.tif 000005
【図４】
2005071905.tif 000006